(57)【特許請求の範囲】
【請求項１】
アクセスポイントにアクセスするための方法であって、
ユーザ端末によって、前記2次元コードを有する画像を取得するステップと、
前記ユーザ端末によって、前記2次元コードを有する前記画像を解析し、前記2次元コードについての情報を獲得するステップであって、前記2次元コードについての前記情報が前記アクセスポイントのアクセスパスワードおよび前記アクセスポイントの識別子を含むステップと、
前記ユーザ端末によって、前記アクセスポイントの前記アクセスパスワードおよび前記アクセスポイントの前記識別子に従い、前記アクセスポイントにアクセスするステップと
を含み、
前記ユーザ端末によって2次元コードを有する画像を取得する前記ステップが、
前記ユーザ端末によって、前記アクセスポイントに第1の要求を送信し、その結果、前記アクセスポイントが2次元コードを有する画像を生成するステップであって、前記第1の要求が2次元コードを有する画像を要求するように構成されるステップと、
前記ユーザ端末によって、前記アクセスポイントによって送信された第1の情報を受信するステップであって、前記第1の情報が前記2次元コードを有する前記画像を含むステップと
を含む、アクセスポイントにアクセスするための方法。
【請求項２】
前記ユーザ端末によって前記アクセスポイントに第1の要求を送信する前記ステップの後、前記ユーザ端末によって前記アクセスポイントによって送信された第1の情報を受信する前記ステップの前に、
前記ユーザ端末によって、前記アクセスポイントによって送信された支払い要求情報を受信し、その結果、ユーザが前記支払い要求情報に従い支払いを行うステップであって、前記支払い要求情報が価格基準および課金モードを含み、前記第1の情報が前記アクセスポイントへのアクセスの期間またはトラフィックについての情報をさらに含むステップ
をさらに含む、請求項1に記載のアクセスポイントにアクセスするための方法。
【請求項３】
前記2次元コードについての前記情報が前記アクセスポイントへのアクセスの期間またはトラフィックについての情報をさらに含む、請求項1に記載のアクセスポイントにアクセスするための方法。
【請求項４】
アクセスポイントにアクセスするための方法であって、
ユーザ端末により送信された第1の要求を受信するステップであって、前記第1の要求が2次元コードを有する画像を要求するように構成されるステップと、
前記2次元コードを有する画像を生成するステップと、
前記ユーザ端末に第1の情報を送信し、その結果、前記ユーザ端末が前記第1の情報を取得するステップであって、前記第1の情報が前記2次元コードを有する前記画像を含むステップと
を含み、
その結果、前記ユーザ端末が前記2次元コードを有する前記画像を取得し、前記ユーザ端末が前記2次元コードを有する前記画像を解析して前記2次元コードを取得し、前記ユーザ端末が前記2次元コードを解析して前記2次元コードについての情報を取得し、前記2次元コードについての前記情報が前記アクセスポイントのアクセスパスワードおよび前記アクセスポイントの識別子を含み、前記ユーザ端末が前記アクセスポイントの前記アクセスパスワードおよび前記アクセスポイントの前記識別子に従い、前記アクセスポイントにアクセスするための方法。
【請求項５】
前記ユーザ端末によって送信された第1の要求を受信する前記ステップの後、前記ユーザ端末に第1の情報を送信する前記ステップの前に、
前記ユーザ端末に支払い要求情報を送信し、その結果、ユーザが前記支払い要求情報に従い支払いを行うステップであって、前記支払い要求情報が価格基準および課金モードを含み、前記第1の情報が前記アクセスポイントへのアクセスの期間またはトラフィックについての情報をさらに含むステップ
をさらに含む、請求項4に記載のアクセスポイントにアクセスするための方法。
【請求項６】
前記2次元コードを有する画像を生成する前記ステップが、
前記2次元コードを生成するステップと、
前記2次元コードを画像にカプセル化するステップと
を含み、
前記2次元コードを生成する前記ステップが、
前記アクセスポイントの前記識別子、前記アクセスポイントの前記アクセスパスワード、および暗号化方式に従い前記2次元コードを生成するステップ
を含む、請求項4に記載のアクセスポイントにアクセスするための方法。
【請求項７】
アクセスポイントによって生成された2次元コードを有する画像を取得するように構成される取得ユニットと、
前記2次元コードを有する前記画像を解析し、前記2次元コードについての情報を獲得するように構成される処理ユニットであって、前記2次元コードについての前記情報がアクセスポイントのアクセスパスワードおよび前記アクセスポイントの識別子を含み、
前記アクセスポイントの前記アクセスパスワードおよび前記アクセスポイントの前記識別子に従い、前記アクセスポイントにアクセスするようにさらに構成される処理ユニットと
を備え、
前記取得ユニットが前記アクセスポイントに第1の要求を送信するようにさらに構成され、その結果、前記アクセスポイントが2次元コードを有する画像を生成し、前記第1の要求が2次元コードを有する画像を要求するように構成され、
前記取得ユニットが前記アクセスポイントによって送信された第1の情報を受信するようにさらに構成され、前記第1の情報が前記2次元コードを有する前記画像を含む、
ユーザ端末。
【発明の詳細な説明】
【技術分野】
【０００１】
本出願は、通信技術の分野に関し、詳細には、アクセスポイントにアクセスするための方法および関連デバイスに関する。
【背景技術】
【０００２】
現在、ワイヤレスローカルエリアネットワーク(Wireless Local Area Network, WLAN)サービスは、運営者により普及されつつあるので、ワイヤレスフィデリティー(Wireless Fidelity, WiFi)技術を使用するアクセスポイント(Access Point, AP)が、ますます多くの地域に配備されている。具体的には、APは、APの運営者により提供されたサービスセット識別子(Service Set Identifier, SSID)を、オープン方式でブロードキャストする。SSIDを検出すると、ユーザ端末がSSIDにアクセスすると決定し、APへのアクセスを確保するため正しいパスワードを入力する場合、ユーザ端末は、SSIDにより識別されるAPを関連付ける。APにアクセスした後、ユーザ端末は、関連したネットワークアプリケーションサービスを実装することができる。
【０００３】
一般的に言って、ユーザ端末は、APと関連付けるためのパスワードを入力するために、キーボードなどの周辺機器と接続する必要がある。しかし、マイクロユーザ端末がキーボードなどの周辺機器を有さない状況では、ユーザはアクセスパスワードを入力することができず、したがってAPに接続することができなくなる。加えて、アクセスパスワードが非常に長い状況、またはSSIDが非常に長い状況では、アクセスパスワードまたはSSIDが誤って入力されて、識別に面倒が増し、APにアクセスすることの効率を下げる場合がある。さらに、アクセスパスワードを提供するため管理者が要求され、ユーザ端末は、APにアクセスするためのアクセスパスワードを入力することが要求される。ユーザ識別認証に何らかの脆弱性がある、または、パスワードは一般的に文字または数字の形式なので容易に発生しうることだが、パスワード漏洩がある場合、無認可ユーザによる攻撃のためにシステムが機能停止する。
【０００４】
現在、ユーザ端末は、WiFi APに、Wi-Fi保護セットアップ(Wi-Fi Protected Setup, WPS)の標準により規定された方式でもアクセスすることができ、この場合、ユーザは、Wi-Fi APのWPSボタンを長い時間クリックする必要がある。ユーザ端末のWPSボタンがクリックされる時間内に、Wi-Fi APのWPSボタンもクリックされた状態となると、ユーザ端末は、Wi-Fi APにアクセスし、関連したネットワークアプリケーションサービスを行うことができる。ユーザ端末のWPSボタンとWi-Fi APのWPSボタンは、接続を確立するために同期しなければならず、動作が複雑で実用的でない。加えて、成功した接続は、現在のサービスアプリケーションのみをサポートし、現在のサービスが一度切断されたら再び使用することができず、接続動作をより煩雑にする。
【発明の概要】
【課題を解決するための手段】
【０００５】
本出願の実施形態は、アクセスポイントにアクセスするための方法および関連デバイスを提供し、このことによって、アクセスポイントにアクセスするための現在の方法が動作上複雑であり、低いセキュリティ性能を提供するという問題を解決する。
【０００６】
第1の態様では、本出願の実施形態は、アクセスポイントにアクセスするための方法であって、
ユーザ端末によって、2次元コードを取得するステップと、
ユーザ端末によって、2次元コードを解析し、2次元コードについての情報を獲得するステップであって、2次元コードについての情報がアクセスポイントのアクセスパスワードおよびアクセスポイントの識別子を含むステップと、
ユーザ端末によって、アクセスポイントのアクセスパスワードおよびアクセスポイントの識別子に従い、アクセスポイントにアクセスするステップと
を含む方法を提供する。
【０００７】
第1の態様に関連して、第1の可能な実装方式では、ユーザ端末によって2次元コードを取得するステップが、
ユーザ端末によって、スキャニング方式で2次元コードを取得するステップ
を含む。
【０００８】
第1の態様の第1の可能な実装に関連して、第2の可能な実装方式では、ユーザ端末によって、スキャニング方式で2次元コードを取得するステップが、
ユーザ端末によって、アクセスポイントにスキャン要求を送信し、その結果、アクセスポイントが2次元コードを生成し、アクセスポイントがスクリーン上に2次元コードを表示するステップと、
ユーザ端末によって、スクリーンをスキャンし、2次元コードを取得するステップと
を含む。
【０００９】
第1の態様に関連して、第3の可能な実装方式では、ユーザ端末によって2次元コードを取得するステップが、
ユーザ端末によって、2次元コードを有する画像を取得するステップと、
ユーザ端末によって、2次元コードを有する画像を解析し、2次元コードを取得するステップと
を含む。
【００１０】
第1の態様の第3の可能な実装方式に関連して、第4の可能な実装方式では、ユーザ端末によって2次元コードを有する画像を取得するステップが、
ユーザ端末によって、アクセスポイントに第1の要求を送信し、その結果、アクセスポイントが2次元コードを有する画像を生成するステップであって、第1の要求が2次元コードを有する画像を要求するように構成されるステップと、
ユーザ端末によって、アクセスポイントによって送信された第1の情報を受信するステップであって、第1の情報が2次元コードを有する画像を含むステップと
を含む。
【００１１】
第1の態様の第4の可能な実装方式に関連して、第5の可能な実装方式では、ユーザ端末によってアクセスポイントに第1の要求を送信するステップの後、ユーザ端末によってアクセスポイントによって送信された第1の情報を受信するステップの前に、
ユーザ端末によって、アクセスポイントによって送信された支払い要求情報を受信し、その結果、ユーザが支払い要求情報に従い支払いを行うステップであって、支払い要求情報が価格基準および課金モードを含み、第1の情報がアクセスポイントへのアクセスの期間またはトラフィックについての情報をさらに含むステップ
を方法がさらに含む。
【００１２】
第1の態様の第2の可能な実装方式に関連して、第6の可能な実装方式では、ユーザ端末によってスクリーンをスキャンするステップが、
ユーザ端末によって、カメラを使用することによりスクリーンをスキャンするステップ
を含む。
【００１３】
第1の態様、第1の態様の第1の可能な実装方式、または第1の態様の第2の可能な実装方式に関連して、第7の可能な実装方式では、2次元コードについての情報が、アクセスポイントへのアクセスの期間またはトラフィックについての情報をさらに含む。
【００１４】
第2の態様では、本出願の実施形態は、アクセスポイントにアクセスするための方法であって、
ユーザ端末によって送信されたスキャン要求を受信するステップと、
2次元コードを生成するステップと、
スクリーン上に2次元コードを表示し、その結果、ユーザ端末が前記スクリーンをスキャンして2次元コードを取得し、ユーザ端末が2次元コードを解析し、2次元コードについての情報を取得するステップであって、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスするステップと
を含む方法を提供する。
【００１５】
第2の態様に関連して、第1の可能な実装方式では、2次元コードを生成するステップが、
アクセスポイントの識別子、アクセスポイントのアクセスパスワード、および暗号化方式に従い2次元コードを生成するステップ
を含む。
【００１６】
第3の態様では、本出願の実施形態は、アクセスポイントにアクセスするための方法であって、
2次元コードを有する画像をユーザ端末に送信し、その結果、ユーザ端末が2次元コードを有する画像を取得し、ユーザ端末が2次元コードを有する画像を解析して2次元コードを取得し、ユーザ端末が2次元コードを解析して2次元コードについての情報を取得するステップであって、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスするステップ
を含む方法を提供する。
【００１７】
第3の態様に関連して、第1の可能な実装方式では、ユーザ端末に2次元コードを有する画像を送信するステップが、
ユーザ端末によって送信された第1の要求を受信するステップであって、第1の要求が2次元コードを有する画像を要求するように構成されるステップと、
2次元コードを有する画像を生成するステップと、
ユーザ端末に第1の情報を送信し、その結果、ユーザ端末が第1の情報を取得するステップであって、第1の情報が2次元コードを有する画像を含むステップと
を含む。
【００１８】
第3の態様の第1の可能な実装方式に関連して、第2の可能な実装方式では、ユーザ端末によって送信された第1の要求を受信するステップの後、ユーザ端末に第1の情報を送信するステップの前に、
ユーザ端末に支払い要求情報を送信し、その結果、ユーザが支払い要求情報に従い支払いを行うステップであって、支払い要求情報が価格基準および課金モードを含み、第1の情報がアクセスポイントへのアクセスの期間またはトラフィックについての情報をさらに含むステップ
を方法をさらに含む。
【００１９】
第3の態様の第1の可能な実装方式に関連して、第3の可能な実装方式では、2次元コードを有する画像を生成するステップが、
2次元コードを生成するステップと、
2次元コードを画像にカプセル化するステップと
を含む。
【００２０】
第3の態様の第3の可能な実装方式に関連して、第4の可能な実装方式では、2次元コードを生成するステップが、
アクセスポイントの識別子、アクセスポイントのアクセスパスワード、および暗号化方式に従い2次元コードを生成するステップ
を含む。
【００２１】
第4の態様では、本出願の実施形態は、
2次元コードを取得するように構成される取得ユニットと、
2次元コードを解析し、2次元コードについての情報を獲得するように構成される処理ユニットであって、2次元コードについての情報がアクセスポイントのアクセスパスワードおよびアクセスポイントの識別子を含む、処理ユニットと
を含み、
処理ユニットが、アクセスポイントのアクセスパスワードおよびアクセスポイントの識別子に従い、アクセスポイントにアクセスするようにさらに構成される
ユーザ端末を提供する。
【００２２】
第4の態様に関連して、第1の可能な実装方式では、
取得ユニットが、2次元コードをスキャニング方式で取得するように特に構成される。
【００２３】
第4の態様の第1の可能な実装方式に関連して、第2の可能な実装方式では、取得ユニットがアクセスポイントにスキャン要求を送信するように特に構成され、その結果、アクセスポイントが2次元コードを生成し、スクリーン上に2次元コードを表示し、取得ユニットがスクリーンをスキャンして2次元コードを取得するように構成される。
【００２４】
第4の態様に関連して、第3の可能な実装方式では、取得ユニットが、2次元コードを有する画像を取得するように特に構成され、2次元コードを有する画像を解析して2次元コードを取得するようにさらに構成される。
【００２５】
第4の態様の第3の可能な実装方式に関連して、第4の可能な実装方式では、取得ユニットがアクセスポイントに第1の要求を送信するようにさらに構成され、その結果、アクセスポイントが2次元コードを有する画像を生成する。ここで、第1の要求が2次元コードを有する画像を要求するように構成される。
取得ユニットは、アクセスポイントによって送信された第1の情報を受信するようにさらに構成される。ここで、第1の情報が2次元コードを有する画像を含む。
【００２６】
第4の態様の第4の可能な実装方式に関連して、第5の可能な実装方式では、取得ユニットがアクセスポイントによって送信された支払い要求情報を受信するようにさらに構成され、その結果、ユーザが、支払い要求情報に従い支払いを行った後、アクセスポイントによって送信された第1の情報を受信する。ここで、支払い要求情報が価格基準および課金モードを含み、第1の情報がアクセスポイントへのアクセスの期間またはトラフィックについての情報をさらに含む。
【００２７】
第4の態様の第2の可能な実装方式に関連して、第6の可能な実装方式では、
取得ユニットが、カメラを使用することによりスクリーンをスキャンするようさらに構成される。
【００２８】
第4の態様、第4の態様の第1の可能な実装方式、または第4の態様の第2の可能な実装方式に関連して、2次元コードについての情報がアクセスポイントへのアクセスの期間またはトラフィックについての情報をさらに含む。
【００２９】
第5の態様では、本出願の実施形態は、
ユーザ端末によって送信されたスキャン要求を受信するように構成される受信ユニットと、
受信ユニットによって受信されるスキャン要求に従って2次元コードを生成するように構成される処理ユニットと、
スクリーン上に2次元コードを表示するように構成され、その結果、ユーザ端末が前記スクリーンをスキャンして2次元コードを取得し、2次元コードを解析し、2次元コードについての情報を取得する表示ユニットであって、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする表示ユニットと
を含むアクセスポイントを提供する。
【００３０】
第5の態様に関連して、第1の可能な実装方式では、処理ユニットが、アクセスポイントの識別子、アクセスポイントのアクセスパスワード、および暗号化方式に従い2次元コードを生成するように特に構成される。
【００３１】
第6の態様では、本出願の実施形態は、
2次元コードを有する画像をユーザ端末に送信し、その結果、ユーザ端末が2次元コードを有する画像を取得し、ユーザ端末が2次元コードを有する画像を解析して2次元コードを取得し、ユーザ端末が2次元コードを解析して2次元コードについての情報を取得するように構成される送信ユニットであって、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする送信ユニット
を含むアクセスポイントを提供する。
【００３２】
第6の態様に関連して、第1の可能な実装方式では、送信ユニットがユーザ端末によって送信された第1の要求を受信するように特に構成される。ここで、第1の要求が、2次元コードを有する画像を要求し、第1の要求に従って2次元コードを有する画像を生成し、ユーザ端末に第1の情報を送信するように構成されており、その結果、ユーザ端末が第1の情報を取得する。ここで、第1の情報が2次元コードを有する画像を含む。
【００３３】
第6の態様の第1の可能な実装方式に関連して、第2の可能な実装方式では、送信ユニットがユーザ端末に支払い要求情報を送信するようにさらに構成され、その結果、ユーザが支払い要求情報に従い支払いを行う。ここで、支払い要求情報が価格基準および課金モードを含んでおり、第1の情報がアクセスポイントへのアクセスの期間またはトラフィックについての情報をさらに含む。
【００３４】
第6の態様の第1の可能な実装方式に関連して、第3の可能な実装方式では、送信ユニットが、2次元コードを生成するようにさらに構成され、2次元コードを画像にカプセル化するように構成される。
【００３５】
第6の態様の第3の可能な実装方式に関連して、第4の可能な実装方式では、送信ユニットが、アクセスポイントの識別子、アクセスポイントのアクセスパスワード、および暗号化方式に従い2次元コードを生成するようにさらに構成される。
【００３６】
本出願の実施形態によれば、ユーザ端末が、2次元コードを取得し、2次元コードを解析して2次元コードについての情報を取得する。ここで、2次元コードについての情報がアクセスポイントのアクセスパスワードおよびアクセスポイントの識別子を含んでおり、ユーザ端末は、アクセスポイントのアクセスパスワードおよびアクセスポイントの識別子に従い、アクセスポイントにアクセスする。2次元コードは、パスワードを入力するためキーボードを使用するまたはWPSボタンを同時にクリックする必要なく、自動的にスキャンまたは取得される。この場合、動作が便利で簡単であり、ユーザ端末のサイズが小さくなる。加えて、長いパスワードを入力することから生じるエラーの発生が回避され、このことにより、アクセスポイントにアクセスすることの効率を改善する。
【００３７】
さらに、2次元コードに基づいた暗号化方式が使用され、パスワードが盗まれることを防止する。加えて、2次元コードは、アクセスポイントによって生成することができ、この場合、パスワード漏洩が容易には発生せず、システムは、無認可ユーザによる攻撃によって引き起こされる機能停止から守られる。
【００３８】
本出願の実施形態内または従来技術内の技術的解決策をより明瞭に記載するため、以下では、実施形態または従来技術を記載するために要求される添付図面を簡単に紹介する。明らかに、以下の記載における添付図面は、本出願のいくつかの実施形態を単に示しており、当業者ならば、創造的な努力をせずに、これらの添付図面から他の図面をさらに導出することができる。
【図面の簡単な説明】
【００３９】
【図１】本出願の実施形態に従ってアクセスポイントにアクセスするための方法のフローチャートである。
【図２】本出願の実施形態に従ってアクセスポイントにアクセスするための別の方法のフローチャートである。
【図３】本出願の実施形態に従ってアクセスポイントにアクセスするための別の方法のフローチャートである。
【図４】本出願の実施形態に従うユーザ端末の構造図である。
【図５】本出願の実施形態に従う別のユーザ端末の構造図である。
【図６】本出願の実施形態に従うアクセスポイントの構造図である。
【図７】本出願の実施形態に従う別のアクセスポイントの構造図である。
【図８】本出願の実施形態に従う別のアクセスポイントの構造図である。
【発明を実施するための形態】
【００４０】
以下では、本発明の実施形態内の添付図面を参照して、本発明の実施形態内の技術的解決策を明瞭に、かつ完全に記載する。明らかに、記載の実施形態は、本発明の実施形態の全てではなく、単なる一部である。創造的な努力なしに本出願の実施形態に基づいて当業者により得られる全ての他の実施形態は、本出願の保護範囲に包含されるものとする。
【００４１】
具体的な実施形態は、以下のように詳細に記載される。  
【００４２】
図1を参照すると、図1は、本出願の実施形態に従ってアクセスポイントにアクセスするための方法のフローチャートである。アクセスポイントにアクセスするためにこの実施形態に提供される方法は、ユーザ端末が実行主体であることに基づいて記載され、ユーザ端末は、WiFi対応であり、携帯電話、コンピュータ、またはキーボードを有さないWiFi対応端末であってよい。図1に示されるように、アクセスポイントにアクセスするためにこの実施形態に提供される方法は、以下のステップを含む。
【００４３】
S110  ユーザ端末が2次元コードを取得する。
【００４４】
ある実施形態では、ユーザ端末は、スキャニング方式で2次元コードを取得することができる。具体的には、ステップは以下のようであってよい。
【００４５】
1  ユーザ端末がアクセスポイントにスキャン要求を送信し、その結果、アクセスポイントが2次元コードを生成してスクリーン上に2次元コードを表示する。
【００４６】
2  ユーザ端末が前記スクリーンをスキャンして2次元コードを取得する。代替的に、ユーザ端末がカメラを使用して前記スクリーンをスキャンし、2次元コードを取得することができる。
【００４７】
代替的に、2次元コードの生成後、アクセスポイントが、2次元コードを印刷し出力して、2次元コードを表示する紙のコピーをユーザに提供し、その結果、ユーザは、ユーザ端末を使用することにより紙のコピーをスキャンして、2次元コードを取得する。
【００４８】
ある実施形態では、ユーザ端末によって2次元コードを取得する方式が、以下のステップを特に含む。
A  ユーザ端末が、2次元コードを有する画像を取得する。
B  ユーザ端末が、2次元コードを有する画像を解析し、2次元コードを取得する。
【００４９】
ある実施形態では、ユーザ端末によって2次元コードを有する画像を取得する方式が、以下のステップを特に含む。
a  ユーザ端末が、アクセスポイントに第1の要求を送信し、その結果、アクセスポイントが2次元コードを有する画像を生成する。ここで、第1の要求が2次元コードを有する画像を要求するように構成される。
b  ユーザ端末が、アクセスポイントによって送信された第1の情報を受信する。ここで、第1の情報が2次元コードを有する画像を含む。
【００５０】
代替的に、ユーザ端末がアクセスポイントに第1の要求を送信した後で、ユーザ端末がアクセスポイントによって送信された第1の情報を受信するステップの前に、方法が以下をさらに含む。
【００５１】
ユーザ端末が、アクセスポイントによって送信された支払い要求情報を受信し、その結果、ユーザが支払い要求情報に従い支払いを行う。ここで、支払い要求情報が価格基準および課金モードを含み、第1の情報がアクセスポイントへのアクセスの期間またはトラフィックについての情報をさらに含む。
【００５２】
S120  ユーザ端末が、2次元コードを解析して2次元コードについての情報を取得する。ここで、2次元コードについての情報がアクセスポイントのアクセスパスワードおよびアクセスポイントの識別子を含む。
【００５３】
代替的に、2次元コードについての情報が、アクセスポイントへのアクセスの期間またはトラフィックについての情報をさらに含む。期間についての情報で制限される期間よりも長い累積期間アクセスポイントにユーザがアクセスしたとき、またはユーザが、アクセスポイントにアクセスした後、トラフィックについての情報で制限されるトラフィックよりも多くネットワークトラフィックを使用したとき、ユーザが自動的にアクセスポイントから切断され、あるいはアクセスポイントとユーザ端末の間のネットワークがアクセスポイントによって切断される。
【００５４】
S130  ユーザ端末が、アクセスポイントのアクセスパスワードおよびアクセスポイントの識別子に従い、アクセスポイントにアクセスする。
【００５５】
本出願によれば、ユーザ端末が、2次元コードを取得し、2次元コードを解析して2次元コードについての情報を取得し、2次元コードについての情報、すなわちアクセスポイントのアクセスパスワードおよびアクセスポイントの識別子に従い、アクセスポイントにアクセスする。2次元コードは、パスワードを入力するためキーボードを使用するまたはWPSボタンを同期してクリックする必要なく、自動的にスキャンまたは取得される。この場合、動作が便利で簡単であり、ユーザ端末のサイズが小さくなる。加えて、長いパスワードを入力することから生じるエラーの発生が回避され、このことにより、アクセスポイントにアクセスすることの効率を改善する。
【００５６】
さらに、2次元コードに基づいた暗号化方式が使用され、パスワードが盗まれることを防止する。加えて、2次元コードは、アクセスポイントによって生成することができ、この場合、パスワード漏洩が容易には発生せず、システムは、無認可ユーザによる攻撃によって引き起こされる機能停止から守られる。
【００５７】
図2を参照すると、図2は、本出願の実施形態に従ってアクセスポイントにアクセスするための別の方法のフローチャートである。アクセスポイントにアクセスするためにこの実施形態に提供される方法は、アクセスポイントが実行主体であることに基づいて記載され、図2に示されるように、アクセスポイントにアクセスするためにこの実施形態に提供される方法は、以下を含む。
【００５８】
S210  ユーザ端末によって送信されたスキャン要求を受信する。
【００５９】
S220 2次元コードを生成する。
【００６０】
S230  スクリーン上に2次元コードを表示し、その結果、ユーザ端末が前記スクリーンをスキャンして2次元コードを取得し、ユーザ端末が2次元コードを解析し、2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。
【００６１】
代替的に、2次元コードの生成後、アクセスポイントが、2次元コードを印刷し出力して、2次元コードを表示する紙のコピーをユーザに提供することができ、その結果、ユーザは、ユーザ端末を使用することにより紙のコピーをスキャンして、2次元コードを取得する。
【００６２】
代替的に、アクセスポイントによって2次元コードを生成するステップが、以下のステップを特に含む。
【００６３】
アクセスポイントの識別子、アクセスポイントのアクセスパスワード、および暗号化方式に従い2次元コードを生成する。
【００６４】
この実施形態によれば、アクセスポイントが、ユーザ端末によって送信されたスキャン要求を受信し、2次元コードを生成し、スクリーン上に2次元コードを表示し、その結果、ユーザ端末が前記スクリーンをスキャンして2次元コードを取得し、ユーザ端末が2次元コードを解析し、2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。2次元コードは、パスワードを入力するためキーボードを使用するまたはWPSボタンを同期してクリックする必要なく、自動的にスキャンまたは取得される。この場合、動作が便利で簡単であり、ユーザ端末のサイズが小さくなる。加えて、長いパスワードを入力することから生じるエラーの発生が回避され、このことにより、アクセスポイントにアクセスすることの効率を改善する。さらに、2次元コードに基づいた暗号化方式が使用され、パスワードが盗まれることを防止する。加えて、2次元コードは、アクセスポイントによって生成することができ、この場合、パスワード漏洩が容易には発生せず、システムは、無認可ユーザによる攻撃によって引き起こされる機能停止から守られる。
【００６５】
図3を参照すると、図3は、本出願の実施形態に従ってアクセスポイントにアクセスするための別の方法のフローチャートである。アクセスポイントにアクセスするためにこの実施形態に提供される方法は、アクセスポイントが実行主体であることに基づいて記載される。アクセスポイントにアクセスするためにこの実施形態に提供される方法は、以下を含む。
【００６６】
2次元コードを有する画像をユーザ端末に送信し、その結果、ユーザ端末が2次元コードを有する画像を取得し、ユーザ端末が2次元コードを有する画像を解析して2次元コードを取得し、ユーザ端末が2次元コードを解析して2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。
【００６７】
ある実施形態では、図3に示されるように、2次元コードを有する画像をユーザ端末に送信するステップが、以下のステップを特に含む。
【００６８】
S310  ユーザ端末によって送信された第1の要求を受信する。ここで、第1の要求が2次元コードを有する画像を要求するように構成される。
【００６９】
S320 2次元コードを有する画像を生成する。
【００７０】
代替的な実装方式として、ユーザ端末によって送信された第1の要求を受信するステップの後、ユーザ端末に第1の情報を送信するステップの前に、方法が以下をさらに含む。
【００７１】
ユーザ端末に支払い要求情報を送信し、その結果、ユーザが支払い要求情報に従い支払いを行う。ここで、支払い要求情報が価格基準および課金モードを含み、第1の情報がアクセスポイントへのアクセスの期間またはトラフィックについての情報をさらに含む。
【００７２】
S330  ユーザ端末に第1の情報を送信し、その結果、ユーザ端末が第1の情報を取得する。ここで、第1の情報が2次元コードを有する画像を含む。
【００７３】
ある実施形態では、2次元コードを有する画像を生成するステップが、以下のステップを特に含む。
【００７４】
2次元コードを生成する。
【００７５】
2次元コードを画像にカプセル化する。
【００７６】
ある実施形態では、2次元コードを生成するステップが、以下のステップを特に含む。
【００７７】
アクセスポイントの識別子、アクセスポイントのアクセスパスワード、および暗号化方式に従い2次元コードを生成する。
【００７８】
この実施形態によれば、アクセスポイントが2次元コードを有する画像をユーザ端末に送信し、その結果、ユーザ端末が2次元コードを有する画像を取得し、ユーザ端末が2次元コードを有する画像を解析して2次元コードを取得し、ユーザ端末が2次元コードを解析して2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。2次元コードは、パスワードを入力するためキーボードを使用するまたはWPSボタンを同期してクリックする必要なく、自動的にスキャンまたは取得される。この場合、動作が便利で簡単であり、ユーザ端末のサイズが小さくなる。加えて、長いパスワードを入力することから生じるエラーの発生が回避され、このことにより、アクセスポイントにアクセスすることの効率を改善する。さらに、2次元コードに基づいた暗号化方式が使用され、パスワードが盗まれることを防止する。加えて、2次元コードは、アクセスポイントによって生成することができ、この場合、パスワード漏洩が容易には発生せず、システムは、無認可ユーザによる攻撃によって引き起こされる機能停止から守られる。
【００７９】
図4を参照すると、図4は、本出願の実施形態に従うユーザ端末の構造図である。図4に示されるように、この実施形態に提供されるユーザ端末は、取得ユニット41と処理ユニット42とを含む。
【００８０】
取得ユニット41は、2次元コードを取得するように構成される。
【００８１】
処理ユニット42は、2次元コードを解析し、2次元コードについての情報を獲得するように構成される。ここで、2次元コードについての情報がアクセスポイントのアクセスパスワードおよびアクセスポイントの識別子を含む。
【００８２】
処理ユニット42は、アクセスポイントのアクセスパスワードおよびアクセスポイントの識別子に従い、アクセスポイントにアクセスするようにさらに構成される。
【００８３】
代替の実装方式として、取得ユニットが2次元コードをスキャニング方式で取得するように特に構成される。
【００８４】
代替の実装方式として、取得ユニットがアクセスポイントにスキャン要求を送信するように特に構成され、その結果、アクセスポイントが2次元コードを生成し、スクリーン上に2次元コードを表示し、取得ユニットがスクリーンをスキャンして2次元コードを取得するように構成される。
【００８５】
代替の実装方式として、取得ユニットが、2次元コードを有する画像を取得するように特に構成され、2次元コードを有する画像を解析して2次元コードを取得するようにさらに構成される。
【００８６】
代替の実装方式として、取得ユニットがアクセスポイントに第1の要求を送信するようにさらに構成され、その結果、アクセスポイントが2次元コードを有する画像を生成する。ここで、第1の要求が2次元コードを有する画像を要求するように構成されている。
【００８７】
取得ユニットは、アクセスポイントによって送信された第1の情報を受信するようにさらに構成される。ここで、第1の情報が2次元コードを有する画像を含む。
【００８８】
代替の実装方式として、取得ユニットは、アクセスポイントによって送信された支払い要求情報を受信するようにさらに構成され、その結果、ユーザが、支払い要求情報に従い支払いを行った後、アクセスポイントによって送信された第1の情報を受信する。ここで、支払い要求情報が価格基準および課金モードを含み、第1の情報がアクセスポイントへのアクセスの期間またはトラフィックについての情報をさらに含む。
【００８９】
代替の実装方式として、取得ユニットが、カメラを使用することによりスクリーンをスキャンするようさらに構成される。
【００９０】
代替の実装方式として、2次元コードについての情報が、アクセスポイントへのアクセスの期間またはトラフィックについての情報をさらに含む。
【００９１】
この実施形態によれば、取得ユニット41が2次元コードを取得し、処理ユニット42が2次元コードを解析して2次元コードについての情報を取得する。ここで、2次元コードについての情報がアクセスポイントのアクセスパスワードおよびアクセスポイントの識別子を含む。処理ユニット42は、アクセスポイントのアクセスパスワードおよびアクセスポイントの識別子に従い、アクセスポイントにさらにアクセスする。2次元コードは、パスワードを入力するためキーボードを使用するまたはWPSボタンを同期してクリックする必要なく、自動的にスキャンまたは取得される。この場合、動作が便利で簡単であり、ユーザ端末のサイズが小さくなる。加えて、長いパスワードを入力することから生じるエラーの発生が回避され、このことにより、アクセスポイントにアクセスすることの効率を改善する。さらに、2次元コードに基づいた暗号化方式が使用され、パスワードが盗まれることを防止する。加えて、2次元コードは、アクセスポイントによって生成することができ、この場合、パスワード漏洩が容易には発生せず、システムは、無認可ユーザによる攻撃によって引き起こされる機能停止から守られる。
【００９２】
図5を参照すると、図5は、本出願の実施形態に従う別のユーザ端末の構造図である。図5に示されるように、この実施形態に提供されるユーザ端末は、入力装置51、出力装置52、メモリ53、およびプロセッサ54を含み、メモリ53がプログラムコードのグループを記憶し、プロセッサ54がメモリ内に記憶されたプログラムコードを呼び出して、以下の動作を実行する。
【００９３】
2次元コードを取得する。
【００９４】
2次元コードを解析し、2次元コードについての情報を獲得する。ここで、2次元コードについての情報は、アクセスポイントのアクセスパスワードおよびアクセスポイントの識別子を含む。
【００９５】
アクセスポイントのアクセスパスワードおよびアクセスポイントの識別子に従い、アクセスポイントにアクセスする。
【００９６】
本出願によれば、ユーザ端末のプロセッサが、関連の動作を行い、2次元コードを取得し、2次元コードを解析して2次元コードについての情報を取得する。ここで、2次元コードについての情報がアクセスポイントのアクセスパスワードおよびアクセスポイントの識別子を含み、ユーザ端末のプロセッサは、アクセスポイントのアクセスパスワードおよびアクセスポイントの識別子に従い、アクセスポイントにアクセスする。2次元コードは、パスワードを入力するためキーボードを使用するまたはWPSボタンを同期してクリックする必要なく、自動的にスキャンまたは取得される。この場合、動作が便利で簡単であり、ユーザ端末のサイズが小さくなる。加えて、長いパスワードを入力することから生じるエラーの発生が回避され、このことにより、アクセスポイントにアクセスすることの効率を改善する。
【００９７】
さらに、2次元コードに基づいた暗号化方式が使用されて、パスワードが盗まれることを防止することができる。加えて、2次元コードは、アクセスポイントによって生成することができ、この場合、パスワード漏洩が容易には発生せず、システムは、無認可ユーザによる攻撃によって引き起こされる機能停止から守られる。
【００９８】
代替の実装方式として、プロセッサによって2次元コードを取得するステップが、2次元コードをスキャニング方式で取得するステップによって特に実装することができる。
【００９９】
代替の実装方式として、プロセッサによってスキャニング方式で2次元コードを取得するステップが、以下の動作を行うことによって、特に実装することができる。
【０１００】
アクセスポイントにスキャン要求を送信し、その結果、アクセスポイントが2次元コードを生成し、スクリーン上に2次元コードを表示する。
【０１０１】
スクリーンをスキャンして2次元コードを取得する。
【０１０２】
代替の実装方式として、プロセッサによって2次元コードを取得するステップが、以下の動作を行うことによって、特に実装することができる。
【０１０３】
2次元コードを有する画像を取得する。
【０１０４】
2次元コードを有する画像を解析し、2次元コードを取得する。
【０１０５】
代替の実装方式として、プロセッサによって2次元コードを有する画像を取得するステップが、以下の動作を行うことによって、特に実装することができる。
【０１０６】
アクセスポイントに第1の要求を送信し、その結果、アクセスポイントが2次元コードを有する画像を生成する。ここで、第1の要求が2次元コードを有する画像を要求するように構成される。
【０１０７】
アクセスポイントによって送信された第1の情報を受信する。ここで、第1の情報が2次元コードを有する画像を含む。
【０１０８】
代替の実装方式として、アクセスポイントに第1の要求を送信する動作を行った後、アクセスポイントによって送信された第1の情報を受信する動作を行う前に、プロセッサが以下の動作を行うようにさらに構成される。
【０１０９】
アクセスポイントによって送信された支払い要求情報を受信し、その結果、ユーザが支払い要求情報に従い支払いを行う。ここで、支払い要求情報が価格基準および課金モードを含み、第1の情報がアクセスポイントへのアクセスの期間またはトラフィックについての情報をさらに含む。
【０１１０】
代替の実装方式として、プロセッサによってスクリーンをスキャンするステップが、以下の動作を行うことによって、特に実装される。
【０１１１】
カメラを使用することによりスクリーンをスキャンする。
【０１１２】
代替の実装方式として、2次元コードについての情報が、アクセスポイントへのアクセスの期間またはトラフィックについての情報をさらに含む。
【０１１３】
図6を参照すると、図6は、本出願の実施形態に従うアクセスポイントの構造図である。図6に示されるように、この実施形態で提供されるアクセスポイントは、受信ユニット61、処理ユニット62、および表示ユニット63を含む。
【０１１４】
受信ユニット61は、ユーザ端末によって送信されたスキャン要求を受信するように構成される。
【０１１５】
処理ユニット62は、受信ユニット61によって受信されるスキャン要求に従って2次元コードを生成するように構成される。
【０１１６】
表示ユニット63がスクリーン上に2次元コードを表示し、その結果、ユーザ端末が前記スクリーンをスキャンして2次元コードを取得し、ユーザ端末が2次元コードを解析し、2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。
【０１１７】
代替の実装方式として、処理ユニットが、アクセスポイントの識別子、アクセスポイントのアクセスパスワード、および暗号化方式に従い2次元コードを生成するように特に構成される。
【０１１８】
この実施形態によれば、受信ユニット61が、ユーザ端末によって送信されたスキャン要求を受信し、処理ユニット62が、受信ユニット61によって受信されたスキャン要求に従って2次元コードを生成し、表示ユニット63が、スクリーン上に2次元コードを表示し、その結果、ユーザ端末が前記スクリーンをスキャンして2次元コードを取得し、ユーザ端末が2次元コードを解析し、2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。2次元コードは、パスワードを入力するためキーボードを使用するまたはWPSボタンを同期してクリックする必要なく、自動的にスキャンまたは取得される。この場合、動作が便利で簡単であり、ユーザ端末のサイズが小さくなる。加えて、長いパスワードを入力することから生じるエラーの発生が回避され、このことにより、アクセスポイントにアクセスすることの効率を改善する。
【０１１９】
さらに、2次元コードに基づいた暗号化方式が使用され、パスワードが盗まれることを防止する。加えて、2次元コードは、アクセスポイントによって生成することができ、この場合、パスワード漏洩が容易には発生せず、システムは、無認可ユーザによる攻撃によって引き起こされる機能停止から守られる。
【０１２０】
図7を参照すると、図7は、本出願の実施形態に従う別のアクセスポイントの構造図である。図7に示されるように、この実施形態で提供されるアクセスポイントは、入力装置71、出力装置72、メモリ73、およびプロセッサ74を含み、メモリ73がプログラムコードのグループを記憶し、プロセッサ74がメモリ内に記憶されたプログラムコードを呼び出して、以下の動作を実行する。
【０１２１】
ユーザ端末によって送信されたスキャン要求を受信する。
【０１２２】
2次元コードを生成する。
【０１２３】
スクリーン上に2次元コードを表示し、その結果、ユーザ端末が前記スクリーンをスキャンして2次元コードを取得し、ユーザ端末が2次元コードを解析し、2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。
【０１２４】
代替の実装方式として、プロセッサによって2次元コードを生成するステップが、以下のステップを特に含む。
【０１２５】
アクセスポイントの識別子、アクセスポイントのアクセスパスワード、および暗号化方式に従い2次元コードを生成する。
【０１２６】
この実施形態によれば、プロセッサが、関連の動作を行い、ユーザ端末によって送信されたスキャン要求を受信し、2次元コードを生成し、スクリーン上に2次元コードを表示して、その結果、ユーザ端末が前記スクリーンをスキャンして2次元コードを取得し、ユーザ端末が2次元コードを解析し、2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。2次元コードは、パスワードを入力するためキーボードを使用するまたはWPSボタンを同期してクリックする必要なく、自動的にスキャンまたは取得される。この場合、動作が便利で簡単であり、ユーザ端末のサイズが小さくなる。加えて、長いパスワードを入力することから生じるエラーの発生が回避され、このことにより、アクセスポイントにアクセスすることの効率を改善する。
【０１２７】
さらに、2次元コードに基づいた暗号化方式が使用され、パスワードが盗まれることを防止する。加えて、2次元コードは、アクセスポイントによって生成することができ、この場合、パスワード漏洩が容易には発生せず、システムは、無認可ユーザによる攻撃によって引き起こされる機能停止から守られる。
【０１２８】
この実施形態で提供される別のアクセスポイントは、2次元コードを有する画像をユーザ端末に送信するように構成される送信ユニットを含み、その結果、ユーザ端末が2次元コードを有する画像を取得し、ユーザ端末が2次元コードを有する画像を解析して2次元コードを取得し、ユーザ端末が2次元コードを解析して2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。
【０１２９】
代替的に、送信ユニットがユーザ端末によって送信された第1の要求を受信するように特に構成される。ここで、第1の要求が、2次元コードを有する画像を要求するように構成され、第1の要求に従って2次元コードを有する画像を生成し、ユーザ端末に第1の情報を送信するように構成される。ここで、第1の情報が2次元コードを有する画像を含み、その結果、ユーザ端末が第1の情報を取得する。
【０１３０】
ある実施形態では、送信ユニットがユーザ端末に支払い要求情報を送信するようにさらに構成され、その結果、ユーザが支払い要求情報に従い支払いを行う。ここで、支払い要求情報が価格基準および課金モードを含み、第1の情報がアクセスポイントへのアクセスの期間またはトラフィックについての情報をさらに含む。
【０１３１】
ある実施形態では、送信ユニットが、2次元コードを生成するようにさらに構成され、2次元コードを画像にカプセル化するように構成される。
【０１３２】
ある実施形態では、送信ユニットが、アクセスポイントの識別子、アクセスポイントのアクセスパスワード、および暗号化方式に従い2次元コードを生成するようにさらに構成される。
【０１３３】
図8を参照すると、図8は、本出願の実施形態に従う別のアクセスポイントの構造図である。図8に示されるように、この実施形態で提供されるアクセスポイントは、入力装置81、出力装置82、メモリ83、およびプロセッサ84を含み、メモリ83がプログラムコードのグループを記憶し、プロセッサ84がメモリ内に記憶されたプログラムコードを呼び出して、以下の動作を実行する。
【０１３４】
2次元コードを有する画像をユーザ端末に送信し、その結果、ユーザ端末が2次元コードを有する画像を取得し、ユーザ端末が2次元コードを有する画像を解析して2次元コードを取得し、ユーザ端末が2次元コードを解析して2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。
【０１３５】
代替の実装方式として、プロセッサによって2次元コードを有する画像をユーザ端末に送信するステップが、以下のステップを特に含む。
【０１３６】
ユーザ端末によって送信された第1の要求を受信する。ここで、第1の要求が2次元コードを有する画像を要求するように構成される。
【０１３７】
2次元コードを有する画像を生成する。
【０１３８】
ユーザ端末に第1の情報を送信する。ここで、第1の情報が2次元コードを有する画像を含み、その結果、ユーザ端末が第1の情報を取得する。
【０１３９】
代替の実装方式として、ユーザ端末によって送信された第1の要求を受信する動作を行った後、ユーザ端末に第1の情報を送信する動作を行う前に、プロセッサが以下の動作を行うようにさらに構成される。
【０１４０】
ユーザ端末に支払い要求情報を送信し、その結果、ユーザが支払い要求情報に従い支払いを行う。ここで、支払い要求情報が価格基準および課金モードを含み、第1の情報がアクセスポイントへのアクセスの期間またはトラフィックについての情報をさらに含む。
【０１４１】
代替の実装方式として、プロセッサによって2次元コードを有する画像を生成するステップが、以下のステップを特に含む。
【０１４２】
2次元コードを生成する。
【０１４３】
2次元コードを画像にカプセル化する。
【０１４４】
代替の実装方式として、プロセッサによって2次元コードを生成するステップが、以下のステップを特に含む。
【０１４５】
アクセスポイントの識別子、アクセスポイントのアクセスパスワード、および暗号化方式に従い2次元コードを生成する。
【０１４６】
この実施形態によれば、プロセッサが、関連の動作を行い、2次元コードを有する画像をユーザ端末に送信し、その結果、ユーザ端末が2次元コードを有する画像を取得し、ユーザ端末が2次元コードを有する画像を解析して2次元コードを取得し、ユーザ端末が2次元コードを解析して2次元コードについての情報を取得する。ここで、2次元コードについての情報がアクセスポイントのアクセスパスワードおよびアクセスポイントの識別子を含み、ユーザ端末が、アクセスポイントのアクセスパスワードおよびアクセスポイントの識別子に従い、アクセスポイントにアクセスする。2次元コードは、パスワードを入力するためキーボードを使用するまたはWPSボタンを同期してクリックする必要なく、自動的にスキャンまたは取得される。この場合、動作が便利で簡単であり、ユーザ端末のサイズが小さくなる。加えて、長いパスワードを入力することから生じるエラーの発生が回避され、このことにより、アクセスポイントにアクセスすることの効率を改善する。
【０１４７】
さらに、2次元コードに基づいた暗号化方式が使用され、パスワードが盗まれることを防止する。加えて、2次元コードは、アクセスポイントによって生成することができ、この場合、パスワード漏洩が容易には発生せず、システムは、無認可ユーザによる攻撃によって引き起こされる機能停止から守られる。
【０１４８】
本出願で提供されるいくつかの実施形態では、開示されるデバイスおよび方法が、他の方式で実装できるということを理解されたい。例えば、上記のデバイスの実施形態は、単に例にすぎない。例えば、モジュールまたはユニットの分割は、単に論理的な機能の分割であり、実際の実装では、別の分割とすることができる。例えば、複数のユニットまたはモジュールを、別のシステムに組み合わせる、もしくは統合することができ、またはいくつかの特徴を無視する、もしくは行わないことが可能である。加えて、表示されたまたは議論された相互結合、直接結合、または通信接続は、いくつかのインターフェイスを介して実装することができる。装置、モジュールまたはユニット間の間接結合または通信接続は、電子的、機械的、または他の形式で実装することができる。
【０１４９】
分離した部分として記載されたモジュールまたはユニットは、物理的な分離であってもなくてもよく、モジュールまたはユニットとして表示された部分は、物理的なモジュールまたはユニットであってもなくてもよく、1つの位置に配置することができ、または複数のネットワークモジュールまたはユニット上に分散することができる。モジュールまたはユニットのうちのいくつかまたは全てを選択して、実際の要求に従い、本発明の実施形態の解決策の目的を達成することができる。
【０１５０】
加えて、本発明の実施形態での機能的なモジュールもしくはユニットを、1つの処理モジュールもしくはユニットに統合することができ、またはモジュールもしくはユニットの各々が単体で物理的に存在することができ、または2つもしくはそれ以上のモジュールもしくはユニットを1つのモジュールもしくはユニットに統合することができる。統合されたモジュールもしくはユニットは、ハードウエアを介して実装することができ、またはソフトウエア機能ユニットの形式でも実装することができる。
【０１５１】
統合されたモジュールまたはユニットが、ソフトウエア機能モジュールまたはユニットの形式で実装され、独立した製品として販売または使用されるとき、統合されたモジュールまたはユニットは、コンピュータ可読記憶媒体内に記憶することができる。かかる理解に基づき、本発明の技術的解決策、本質的に、従来技術に貢献する部分、または技術的解決策の全てもしくは一部は、ソフトウエア製品の形式で実装することができる。コンピュータソフトウエア製品は、記憶媒体内に記憶され、本発明の実施形態に記載された方法のステップの全てまたは一部を行うため、(パーソナルコンピュータ、サーバ、ネットワークデバイスなどであってよい)コンピュータデバイスに命令するためのいくつかの命令を含む。上記の記憶媒体としては、USBフラッシュドライブ、取外し可能ハードディスク、読取り専用メモリ(Read-Only Memory, ROM)、ランダムアクセスメモリ(Random Access Memory, RAM)、磁気ディスク、または光学ディスクなど、プログラムコードを記憶することができる任意の媒体が挙げられる。
【０１５２】
上記の記述は、単に本発明の具体的な実施形態にすぎず、本発明の保護範囲を制限することを意図していない。本発明に開示される技術的範囲に入り、当業者により容易に理解される、任意の均等な修正形態または代替形態は、本発明の保護範囲に包含されるものとする。したがって、本発明の保護範囲は、請求項の保護範囲に従うものとする。
【符号の説明】
【０１５３】
41  取得ユニット
42  処理ユニット
51  入力装置
52  出力装置
53  メモリ
54  プロセッサ
61  受信ユニット
62  処理ユニット
63  表示ユニット
71  入力装置
72  出力装置
73  メモリ
74  プロセッサ
81  入力装置
82  出力装置
83  メモリ
84  プロセッサ
【図１】
0005978517.tif 000002
【図２】
0005978517.tif 000003
【図３】
0005978517.tif 000004
【図４】
0005978517.tif 000005
【図５】
0005978517.tif 000006
【図６】
0005978517.tif 000007
【図７】
0005978517.tif 000008
【図８】
0005978517.tif 000009